(57)【要約】      （修正有）【課題】電気コネクタの組立の時に、溶接の工程が必要ないため、組立が素早くおよび便利で、かつその電気特性もより安定できる。【解決手段】電気コネクタは、ハウジング本体と、該ハウジング本体内に設けられた複数の導電端子と、該ハウジング本体の後端に嵌接され、ワイヤトラップの中央部にスールホール３１が凹設され、該スールホール内に複数のインナトラップ溝３２が凹設され、ワイヤトラップの外側に複数のアウタトラップ溝３３が設けられたワイヤトラップと、複数のケーブルコア４１を有し、これらのコアがケーブルの先端から伸び出しかつ該ワイヤトラップのインナトラップ溝３２及びアウタトラップ溝３３に係着されるケーブルと、を含み、インナトラップ溝３２に係着したケーブルコア４１が該導電端子上に圧接されることにより電気的に接続される。【選択図】図２
0003143621.tif 000002
【実用新案登録請求の範囲】
【請求項１】
ハウジング本体と、
前記ハウジング本体内に設けられた複数の導電端子と、
前記ハウジング本体の後端に嵌接され、ワイヤトラップの中央部にスールホールが凹設され、前記スールホール内に複数のインナトラップ溝が凹設され、ワイヤトラップの外側に複数のアウタトラップ溝が設けられたワイヤトラップと、
複数のケーブルコアを有し、これらのコアがケーブルの先端から伸び出しかつ前記ワイヤトラップのインナトラップ溝及びアウタトラップ溝に係着されるケーブルと、を含み、
前記インナトラップ溝に係着したケーブルコアが前記導電端子上に圧接されることにより電気的に接続されたことを特徴とする電気コネクタ。
【請求項２】
前記アウタトラップ溝に係着したこれらのコアの長さと前記アウタトラップ溝の長さとは、一致に近いことを特徴とする請求項１記載の電気コネクタ。
【請求項３】
前記ワイヤトラップの前側に複数の直立トラップ溝が凹設され、これらの直立トラップ溝は、それぞれ、前記インナトラップ溝及びアウタトラップ溝を連通することを特徴とする請求項２記載の電気コネクタ。
【請求項４】
前記ハウジング本体の後側に後差込座が係着され、前記後差込座は、前記後差込座を貫通する複数のコンタクト溝を有することを特徴とする請求項３記載の電気コネクタ。
【請求項５】
前記導電端子の後側は、それぞれコンタクト部を有し、これらのコンタクト部は、前記後差込座のコンタクト溝内に伸び込むことを特徴とする請求項４記載の電気コネクタ。
【請求項６】
前記ワイヤトラップが前記後差込座上に嵌着され、前記ワイヤトラップのインナトラップ溝に係着したコアが、前記後差込座のコンタクト溝内の導電端子のコンタクト部に圧接し、電気的接続を発生することを特徴とする請求項５記載の電気コネクタ。
【請求項７】
前記ハウジング本体は、前記ハウジング本体を貫通する複数の端子孔を有し、これらの導電端子がその内部に挿入されることを特徴とする請求項６記載の電気コネクタ。
【請求項８】
前記電気コネクタは、さらに、ハウジング本体、ワイヤトラップ及びケーブルの外を覆う金属シェル及びプラスチックシェルを含み、前記プラスチックシェルは、金属シェルの外を覆うことを特徴とする請求項７記載の電気コネクタ。
【請求項９】
ハウジング本体と、
前記ハウジング本体内に設けられた複数の導電端子と、
前記ハウジング本体の後端に嵌接され、複数のトラップ溝を有し、これらの導電端子の後側が前記トラップ溝内に伸び込むワイヤトラップと、
複数のケーブルコアを有し、これらのコアがケーブルの先端から伸び出しかつ前記ワイヤトラップのトラップ溝に係着されるケーブルと、を含み、
前記トラップ溝に係着したコアが前記導電端子上に圧接されることにより電気的に接続されたことを特徴とする電気コネクタ。
【請求項１０】
前記トラップ溝に係着したこれらのコアの長さと前記トラップ溝の長さとは、一致に近いことを特徴とする請求項９記載の電気コネクタ。
【請求項１１】
前記ワイヤトラップのトラップ溝は、円溝部および方形溝部を有し、これらのコアが前記円溝部内に係着され、これらの導電端子の後端が、前記方形溝部内に挿入し、前記コアが前記導電端子上に圧接することにより電気的に接続されることを特徴とする請求項１０記載の電気コネクタ。
【考案の詳細な説明】
【技術分野】
【０００１】
本考案は、電気コネクタに係り、特に、ワイヤトラップを有する電気コネクタに関る。
【背景技術】
【０００２】
様々なタイプの電子製品が益々普及されることに伴い、電子製品間の接続部材-電気コネクタへの要求にも大きくなりつつある。しかしながら、如何すれば、電気コネクタの電気特性を良くさせ、組立便利および快速にすることは、業界が解決及び克服しようとする共同問題である。
【０００３】
従来のケーブル型電気コネクタは、プラグ構造およびケーブルを含む。ケーブルのコアとプラグ構造の導電端子が電気接続しようとする時に、溶接方式でコアを導電端子の後端に溶接し一体に固定させることが多く、例えば、中華民国特許公告第５２００９０号、中華民国特許証書Ｍ２７０５２６号及び中華民国特許公告第５１９３２２号は、それぞれ、このような接続方式の電気コネクタを提出した。
【０００４】
しかし、これらの従来の電気コネクタは、以下の欠点がある。
１、ケーブルコアと導電端子を溶接する時に、人工溶接に依存する場合が多く、自動化の設備で溶接を補助し難いため、溶接過程全体において時間がかかる。
２、次に、コア毎と導電端子との間のパッドがばらつき易く、パッドの大きさは、該コアの信号の減衰程度を影響し、パッドが大きければ、コアの信号減衰も相対的に大きくなる。そのため、コア毎のパッドの大きさがばらつけば、コアの信号減衰もばらつき、ひいて、電気コネクタの電気特性も不安定となる。
３、また、コアを導電端子上に溶接する時に、コアの皮膜が溶接する際に発生した高温で後向きに収縮し易く、ひいて、皮膜の外に露出したコアの長さが大きくなり、コアの露出長さも、該コアの信号減衰程度を影響してしまう。より厳重なことは、コア毎の皮膜が受けた温度が一致でないため、皮膜が後向きに収縮する長さも一致でないため、コア毎の信号減衰もばらつき、同様に該電気コネクタの電気特性も不安定となる。
【０００５】
電気コネクタの電気特性が安定であるかは、高周波数信号転送の応用上において特に重要である。
【０００６】
そのため、本考案者は、前記欠点が改良できるのを感心して、長年以来この領域で積み立てた経験により、専念な観察かつ研究をし、さらに学術理論の運用に合せ、やっと合理な設計且つ前記の欠点を有効に改良できた本考案を提案した。
【考案の開示】
【考案が解決しようとする課題】
【０００７】
本考案の主な目的は、組立の時に溶接の工程が必要ないため、組立が素早くおよび便利で、かつその電気特性もより安定できる電気コネクタを提供することにある。
【課題を解決するための手段】
【０００８】
前記目的を達成するため、本考案は、ハウジング本体と、前記ハウジング本体内に設けられた複数の導電端子と、前記ハウジング本体の後端に嵌接され、ワイヤトラップの中央部にスールホールが凹設され、前記スールホール内に複数のインナトラップ溝が凹設され、ワイヤトラップの外側に複数のアウタトラップ溝が設けられたワイヤトラップと、複数のケーブルコアを有し、これらのコアがケーブルの先端から伸び出しかつ前記ワイヤトラップのインナトラップ溝及びアウタトラップ溝に係着されるケーブルと、を含み、インナトラップ溝に係着したケーブルコアが前記導電端子上に圧接されることにより電気的に接続されたことを特徴とする電気コネクタを提供した。
【０００９】
本考案は、以下の有益な効果がある。
先ずこれらのコアをワイヤトラップに係着しておき、その後、ワイヤトラップをハウジング本体の後側に挿入し、ケーブルコアを前記導電端子上に圧接させることで電気的に接続され、あらゆる溶接の工程を使用してないため、電気コネクタの組立が素早くおよび便利である。しかも、コア毎の信号減衰程度が一致であるため、電気コネクタの電気特性もより安定できるようになる。
【００１０】
本考案の特徴技術及び技術内容をより詳しく了解するために、以下に本考案に関わる詳細な説明及び添付図面を参照すれば、深くかつ具体的に理解できると確信しているが、それらの添付図面が参考及び説明のみに使われ、本考案の主張範囲を狭義的に局限するものではないことは言うまでもないことである。
【考案を実施するための最良の形態】
【００１１】
図１及び図２を参照すると、本考案の電気コネクタは、ハウジング本体１０と、複数の導電端子２０と、ワイヤトラップ３０と、ケーブル４０と、金属シェル５０と、プラスチックシェル６０とを含む。
【００１２】
該ハウジング本体１０は、絶縁材料で作製され、該ハウジング本体１０は、水平配列しかつ該ハウジング本体１０の前後両側を貫通する複数の端子孔１１を有する。
【００１３】
これらの導電端子２０は、高伝導係数の金属材料で一体成形して作製され、該ハウジング本体１０の端子孔１１内に順次に挿入される。これらの導電端子２０の後側は、それぞれ、水平方向へ延びるコンタクト部２１を有し、かつこれらのコンタクト部２１は、該ハウジング本体１０の後側の外に伸び出している。
【００１４】
該ハウジング本体１０の後側に後差込座１２が係着され、該後差込座１２は、該後差込座１２の前後両側を貫通する複数のコンタクト溝１２１を有し、これらのコンタクト溝１２１の位置が端子孔１１の位置に対応するため、後差込座１２が該ハウジング本体１０の後側に係着されると、これらの導電端子２０のコンタクト部２１も、該コンタクト溝１２１内に挿入される。
【００１５】
図３を参照すると、該ワイヤトラップ３０も、絶縁材料で作製され、その外形は大体矩形体である。該ワイヤトラップ３０の中央部に矩形状のスールホール３１が凹設され、該スールホール３１内に複数のインナトラップ溝３２が凹設され、該ワイヤトラップ３０の外側に複数のアウタトラップ溝３３が別に設けられる。これらのインナトラップ溝３２及びアウタトラップ溝３３の横方向配列位置が一致であり、かつ、該ワイヤトラップ３０の前側に、該インナトラップ溝３２及びアウタトラップ溝３３を連通する直立トラップ溝３４が設けられる。
【００１６】
該ケーブル４０は、複数のケーブルコア４１からなり、コア４１毎は、ともに、高伝導係数の材料で作製される。これらのコア４１の先端部は、該ケーブル４０の外へ伸び出され、これらのコア４１の伸出長さがばらつきであるが、少なくとも、該ワイヤトラップ３０のインナトラップ溝３２、アウタトラップ溝３３及び直立トラップ溝３４の三者の溝の長さの合計より大きい。
【００１７】
図４を参照すると、該ケーブル４０の外へ伸び出されたコア４１は、先に該ワイヤトラップ３０のスールホール３１を挿通し、その後、さらに一部のコア４１をインナトラップ溝３２内に係着する。コア４１の余剰部分が外へ曲折してから該直立トラップ溝３４内に係着され、その後、さらに、コア４１のさらなる余剰部分を後へ曲折して該アウタトラップ溝３３内に係着し、最後に、なお一部のコア４１が該アウタトラップ溝３３の後方に露出される。
【００１８】
図５及び図６を参照すると、該ワイヤトラップ３０とケーブル４０のコア４１を装着した後に、該ワイヤトラップ３０は、後差込座１２の後方から後差込座１２上に挿入し、ワイヤトラップ３０を該後差込座１２上に嵌着させる。この時、インナトラップ溝３２に位置したコア４１の一側が、後差込座１２のコンタクト溝１２１内に位置した導電端子２０のコンタクト部２１に圧接し、双方を緊密的に接触させ、ひいて、両者が電気的接続を発生する。
【００１９】
その後、該アウタトラップ溝３３の後方に露出されたコア４１をカットし、該アウタトラップ溝３３に位置するこれらのコア４１の長さと該アウタトラップ溝３３の長さとを、一致に近くする。
【００２０】
ハウジング本体１０、導電端子２０、ワイヤトラップ３０およびケーブル４０を組立完了した後に、さらに、金属シェル５０をハウジング本体１０、ワイヤトラップ３０およびケーブル４０の外に被覆する。該金属シェル５０は、アッパシェル５１及びローシェル５２を有し、組立の時に、先に該アッパシェル５１を該ハウジング本体１０の先端からハウジング本体１０上に嵌合し、続いて、さらにローシェル５２を該ハウジング本体１０の下方から該アッパシェル５１の両側に係止させ、このように、ハウジング本体１０、ワイヤトラップ３０およびケーブル４０の先端をアッパシェル５１とローシェル５２の間に覆うことができる。
【００２１】
最後に、プラスチックシェル６０を金属シェル５０の外にカバーする。該プラスチックシェル６０は、アッパシェル６１及びローシェル６２を有し、両者は、それぞれ、金属シェル５０の上下に互いに一体係止し該金属シェル５０を覆う。
【００２２】
本考案は、以下の有益な効果がある。
１、先ず該ケーブル４０のコア４１をワイヤトラップ３０に係着しておき、さらに該ワイヤトラップ３０をハウジング本体１０の後差込座１２に装着し、ケーブルコア４１を導電端子２０上に圧接させることで電気的に接続された。コア４１を導電端子２０上に溶接、固着せず、両者を安定に電気的に接続できるため、電気コネクタの組立が素早くおよび便利であり、しかも、溶接のパッドの大きさがばらつきで、コア４１ごとの信号の減衰程度もばらつくことはないため、該電気コネクタは、安定な電気特性を備える。
２、該ケーブル４０の外に露出されかつ該ワイヤトラップ３０内に位置するこれらのコア４１の長さは、一致に近いので、コア４１ごとの信号の減衰程度も一致に近いため、該電気コネクタは、より安定な電気特性を備える。
【００２３】
図７は、本考案に係る電気コネクタの第２実施例を示す図である。図７を参照すると、同一構成部分について第１実施例と同符号を付し、第２実施例との違いは、該ワイヤトラップ３０の構成、ワイヤトラップ３０とハウジング本体１０の結合方式、及びコア４１がワイヤトラップ３０に設置される方式の点である。
【００２４】
図８を参照すると、該ワイヤトラップ３０の中央部に該ワイヤトラップ３０の前後両側を貫通する複数のトラップ孔３５を有し、これらのトラップ孔３５は、それぞれ、円溝部３５１および方形溝部３５２を有し、該円溝部３５１の断面面積が該方形溝部３５２の断面面積より小さい。
【００２５】
これらのケーブル４０のコア４１の先端部は、該ケーブル４０の外へ伸び出され、これらのコア４１の伸出長さが、少なくとも、該ワイヤトラップ３０のトラップ孔３５の孔長さより大きい。該ケーブル４０の外へ伸び出されたコア４１は、該トラップ孔３５を挿通しかつ該トラップ孔３５の円溝部３５１内に係着し、コア４１の余剰部分が該ワイヤトラップ３０の前方に露出される。
【００２６】
図９及び図１０を参照すると、該ワイヤトラップ３０とケーブル４０のコア４１を装着した後に、該ワイヤトラップ３０は、ハウジング本体１０の後方からハウジング本体１０の後端に挿入、係止する。この時、ハウジング本体１０に設けられたこれらの導電端子２０のコンタクト部２１が、対応する位置のワイヤトラップ３０の方形溝部３５２内に挿入し、かつこれらのコンタクト部２１が円溝部３５１内に位置するコア４１と互いに圧接し、双方を緊密的に接触させ、ひいて、両者がよい電気接続を形成する。
【００２７】
その後、該ワイヤトラップ３０の前方に伸び出されたコア４１をカットし、トラップ孔３５の円溝部３５１内に位置するこれらのコア４１の長さと該トラップ孔３５の長さとを、一致に近くする。
【００２８】
本考案に係る電気コネクタの第２実施例の効果は、第１実施例と同じである。
１、コア４１を導電端子２０上に溶接、固着せず、両者を安定に電気的に接続できるため、電気コネクタの組立が素早くおよび便利であり、しかも、溶接のパッドの大きさで該電気コネクタの電気特性に影響することはない。
２、該ケーブル４０の外に露出されかつ該ワイヤトラップ３０内に位置するこれらのコア４１の長さは、一致に近いので、コア４１ごとの信号の減衰程度も一致に近いため、該電気コネクタも、より安定な電気特性を備える。
【００２９】
しかし、以上のように単に本考案の好ましい具体的な実施例に過ぎず、本考案の実用新案登録請求の範囲を局限するものではなく、いずれの当該分野における通常の知識を有する専門家は、本考案の分野の中で、適当に変更や修飾などを実施できるが、それらの実施が本考案の主張範囲内に納入されるべきことは言うまでもないことである。
【図面の簡単な説明】
【００３０】
【図１】図１は、本考案係る電気コネクタを示す斜視図である。
【図２】図２は、本考案係る電気コネクタを示す分解斜視図である。
【図３】図３は、本考案係る電気コネクタのワイヤトラップを示す斜視図である。
【図４】図４は、本考案係る電気コネクタのワイヤトラップとコアの組立を示す図である。
【図５】図５は、本考案係る電気コネクタを示す断面図である。
【図６】図６は、本考案の図５のＡ部の拡大図である。
【図７】図７は、本考案係る電気コネクタの第２実施例を示す分解斜視図である。
【図８】図８は、本考案係る電気コネクタの第２実施例のワイヤトラップとコアの組立を示す図である。
【図９】図９は、本考案係る電気コネクタの第２実施例を示す断面図である。
【図１０】図１０は、本考案の図９のＡ部の拡大図である。
【符号の説明】
【００３１】
１０    ハウジング本体
２０    導電端子
３０    ワイヤトラップ
４０    ケーブル
５０    金属シェル
６０    プラスチックシェル
１１    端子孔
１２    後差込座
１２１  コンタクト溝
２１    コンタクト部
３１    スールホール
３２    インナトラップ溝
３３    アウタトラップ溝
３４    直立トラップ溝
４１    ケーブルコア
５１    アッパシェル
５２    ローシェル
６１    アッパシェル
６２    ローシェル
３５    トラップ孔
３５１  円溝部
３５２  方形溝部
【図１】
0003143621.tif 000003
【図２】
0003143621.tif 000004
【図３】
0003143621.tif 000005
【図４】
0003143621.tif 000006
【図５】
0003143621.tif 000007
【図６】
0003143621.tif 000008
【図７】
0003143621.tif 000009
【図８】
0003143621.tif 000010
【図９】
0003143621.tif 000011
【図１０】
0003143621.tif 000012